(57)【要約】【課題】  身体の特定の一箇所のみならずその特定位置の周辺をも押圧することができるとともに、椅子の背もたれや壁などの接触部材が柔らかい場合にも適度な硬さを常に有する状態にして指圧効果を高める。【解決手段】  指圧用部材Ｑが球形状に形成されるとともに、この球形状の指圧用部材Ｑの転がりを保障する所定の大きさのポケットＰに入れられている。また、指圧用部材Ｑが入れられるポケットＰの背面側に接触部材３との接触効果を調整する補強用部材４が交換可能に取り付けられている。【選択図】  図７
0003115197.tif 000002
【実用新案登録請求の範囲】
【請求項１】
指圧用部材が球形状に形成されるとともに、この球形状の指圧用部材の転がりを保障する所定の大きさのポケットが複数形成されたシート状の部材を、身体と椅子の背もたれや壁等の接触部材との間に介在させて使用することを特徴とする指圧具。
【請求項２】
前記シート状の部材に面状ファスナーが配され、この面状ファスナーを介して、椅子の背もたれや壁等の接触部材の所定位置に配置することを特徴とする請求項１記載の指圧具。
【請求項３】
前記球形状の部材は、その外周に小さな凹凸が形成された所定の硬さを有するものであり、前記指圧用部材が入れられるポケットがメッシュ生地、又は、金属製のメッシュにより形成されていることを特徴とする請求項１又は請求項２記載の指圧具。
【請求項４】
ジャンパーやチョッキ等の衣服に着脱自在に取り付けられて身体に指圧効果が与えられる指圧用部材を有する衣服において、指圧用部材が球形状に形成されるとともに、この球形状の指圧用部材の転がりを保障する所定の大きさのポケットに入れられ、椅子の背もたれや壁等の接触部材との接触により球形状の指圧用部材が所定範囲で転がることを特徴とする指圧用部材を有する衣服。
【請求項５】
前記球形状の部材は、その外周に小さな凹凸が形成された所定の硬さを有するものであり、前記指圧用部材が入れられるポケットがメッシュ生地、又は、金属製のメッシュにより形成されていることを特徴とする請求項１記載の指圧用部材を有する衣服。
【請求項６】
前記指圧用部材が入れられるポケットは、衣服に対して着脱自在なシート状の部材に複数のポケットが形成され、この複数のポケットを有するシート状の部材を組み合わせて衣服に着脱させることを特徴とする請求項１記載の指圧用部材を有する衣服。
【請求項７】
前記指圧用部材が入れられるポケットの背面側に前記接触部材との接触効果を調整する補強用部材が交換可能に取り付けられていることを特徴とする請求項１ないし請求項３のいずれか１項記載の指圧用部材を有する衣服。
【考案の詳細な説明】
【技術分野】
【０００１】
本考案は、身体に指圧効果が与えられる指圧具と、ジャンパーやチョッキ等の衣服に着脱自在に取り付けられて身体に指圧効果が与えられる指圧用部材を有する衣服に関する。
【背景技術】
【０００２】
サンダルやスリッパに凸状の突起である指圧用部材を備え付けたものが健康ブームの流行にも乗り普及しているが、このような凸状の突起である指圧用部材を備え付けた衣服（ジャンパーやチョッキ等の衣服）が考えられるようになっている（特許文献１等参照）。特許文献１は、指圧用部材が固定されたシート状の部材がジャンパーやチョッキ等の衣服に着脱自在に取り付けられている。
【特許文献１】特開平４−２２３６０号公報
【特許文献２】実開昭６０−１５３１３１号公報
【特許文献３】実開平３−９７４１号公報
【特許文献４】実公平３−２０７号公報
【考案の開示】
【考案が解決しようとする課題】
【０００３】
しかしながら、上記従来例では、凸状の突起である指圧用部材を備え付けた固定のものであり、身体の特定の一箇所のみを押圧するものであり、その特定位置の周辺を押圧することはできなかった。すなわち、ツボを押圧することは重要ではあるが、的確にツボの位置を押圧できるとは限らず、その周辺も押圧による指圧効果が得られなければ指圧効果を高められない。一方、従来のものは、鉄道や車両の乗り物の椅子の背もたれや壁などの接触部材との接触状態を得て指圧効果を発揮させるものであるが、背もたれ等が適度な硬さを常に有するのであれば問題はないが、例えばソファーのような背もたれ部が柔らかいものでは、指圧用部材を有する衣服といえどもその指圧効果を十分に引き出すことはできない。
【０００４】
そこで本考案の目的は、身体の特定の一箇所のみならずその特定位置の周辺をも押圧することができるとともに、椅子の背もたれや壁などの接触部材が柔らかい場合にも適度な硬さを常に有する状態にして指圧効果を高めることが可能な指圧具及び指圧用部材を有する衣服を提供することにある。
【課題を解決するための手段】
【０００５】
上記の課題を解決し、その目的を達成するための手段として、本考案の請求項１記載の指圧具は、指圧用部材が球形状に形成されるとともに、この球形状の指圧用部材の転がりを保障する所定の大きさのポケットが複数形成されたシート状の部材を、身体と椅子の背もたれや壁等の接触部材との間に介在させて使用することを特徴とする。
【０００６】
本考案によれば、指圧用部材が球形状に形成されるとともに、この球形状の指圧用部材の転がりを保障する所定の大きさのポケットに入れられたシート状の部材であるので、このシート状の部材を壁や背もたれ等の接触部材に取り付けるなどして、背もたれ等に寄りかかるようにして多少身体を動かしたり、身体を動かさずとも、鉄道や車両の椅子の背もたれ等に配置して身体と接触させると、鉄道や車両の揺れにより身体の特定の一箇所のみならずその特定位置の周辺をも押圧されることとなる。
【０００７】
本考案の請求項２記載の指圧具は、前記シート状の部材に面状ファスナーが配され、この面状ファスナーを介して、椅子の背もたれや壁等の接触部材の所定位置に配置することを特徴とする。
【０００８】
本考案によれば、前記シート状の部材に面状ファスナーが配され、この面状ファスナーを介して、椅子の背もたれや壁等の接触部材の所定位置に配置することから、所定の箇所に容易に配置させたり、取り外したりすることができる。
【０００９】
本考案の請求項３記載の指圧具は、前記球形状の部材は、その外周に小さな凹凸が形成された所定の硬さを有するものであり、前記指圧用部材が入れられるポケットがメッシュ生地、又は、金属製のメッシュにより形成されていることを特徴とする。
【００１０】
本考案によれば、前記球形状の部材は、その外周に小さな凹凸が形成された所定の硬さを有するものであり、前記指圧用部材が入れられるポケットがメッシュ生地により形成されていることから、球形状の部材の凹凸とメッシュ生地の両者の接触により、指圧用部材が特定の位置でのみすべって回転するような事態を防止でき、身体の特定の一箇所のみならずその特定位置の周辺をも押圧することとなる。また、球形状の部材の凹凸とメッシュ生地の両者の接触により、身体に対する押圧効果、つまり指圧効果を高めることができる。
【００１１】
本考案の請求項４記載の指圧用部材を有する衣服は、ジャンパーやチョッキ等の衣服に着脱自在に取り付けられて身体に指圧効果が与えられる指圧用部材を有する衣服において、指圧用部材が球形状に形成されるとともに、この球形状の指圧用部材の転がりを保障する所定の大きさのポケットに入れられ、椅子の背もたれや壁等の接触部材との接触により球形状の指圧用部材が所定範囲で転がることを特徴とする。
【００１２】
本考案によれば、指圧用部材が球形状に形成されるとともに、この球形状の指圧用部材の転がりを保障する所定の大きさのポケットに入れられているので、これを装着する身体を介して壁や背もたれ等の接触部材と接触することにより球形状の指圧用部材が揺れ動く、つまり椅子の背もたれ等に寄りかかるようにして多少身体を動かしたり、身体を動かさずとも、鉄道や車両に搭乗するとその揺れにより身体の特定の一箇所のみならずその特定位置の周辺をも押圧されることとなる。
【００１３】
本考案の請求項５記載の指圧用部材を有する衣服は、前記球形状の部材は、その外周に小さな凹凸が形成された所定の硬さを有するものであり、前記指圧用部材が入れられるポケットがメッシュ生地、又は、金属製のメッシュにより形成されていることを特徴とする。
【００１４】
本考案によれば、前記球形状の部材は、その外周に小さな凹凸が形成された所定の硬さを有するものであり、前記指圧用部材が入れられるポケットがメッシュ生地により形成されていることから、球形状の部材の凹凸とメッシュ生地の両者の接触により、指圧用部材が特定の位置でのみすべって回転するような事態を防止でき、身体の特定の一箇所のみならずその特定位置の周辺をも押圧することとなる。また、球形状の部材の凹凸とメッシュ生地の両者の接触により、身体に対する押圧効果、つまり指圧効果を高めることができる。
【００１５】
本考案の請求項６記載の指圧用部材を有する衣服は、前記指圧用部材が入れられるポケットは、衣服に対して着脱自在なシート状の部材に複数のポケットが形成され、この複数のポケットを有するシート状の部材を組み合わせて衣服に着脱させることを特徴とする。
【００１６】
本考案によれば、指圧用部材が入れられるポケットを有するシート状の部材を組み合わせて衣服に着脱させることから、その任意の組み合わせにより、例えば、指圧用部材が入れられるポケットを縦横に配置させたり、千鳥状に配置させたり、放射状に配置させたり等種種の態様に配置させることができるようになる。
【００１７】
本考案の請求項７記載の指圧用部材を有する衣服は、前記指圧用部材が入れられるポケットの背面側に前記接触部材との接触効果を調整する補強用部材が交換可能に取り付けられていることを特徴とする。
【００１８】
本考案によれば、例えばソファーのような背もたれ部が柔らかいものである場合にも、背もたれ等の接触部材との接触効果を調整する補強用部材が交換可能に取り付けられていることから、所定の硬さを有する補強用部材に交換することにより、指圧効果を高めるように調整することが可能になる。
【考案の効果】
【００１９】
本考案の指圧具によれば、指圧用部材が球形状に形成されるとともに、所定の大きさのポケットに入れられたシート状の部材であるので、身体と壁や背もたれ等の接触部材との間に配置させることにより球形状の指圧用部材が揺れ動く、つまり椅子の背もたれ等に寄りかかるようにして多少身体を動かせば、身体の特定の一箇所のみならずその特定位置の周辺をも押圧されるので、指圧効果を高めることが可能になる。
【００２０】
本考案の指圧用部材を有する衣服によれば、指圧用部材が球形状に形成されるとともに、所定の大きさのポケットに入れられているので、これを装着する身体を介して壁や背もたれ等の接触部材と接触することにより球形状の指圧用部材が揺れ動く、つまり椅子の背もたれ等に寄りかかるようにして多少身体を動かせば、身体の特定の一箇所のみならずその特定位置の周辺をも押圧されるので、指圧効果を高めることが可能になる。また、例えばソファーのような背もたれ部が柔らかいものである場合にも、背もたれ等の接触部材との接触効果を調整する補強用部材が交換可能に取り付けられていることから、所定の硬さを有する補強用部材に交換することにより、所定の硬さを有し指圧効果を高めるように調整することが可能になる。
【考案を実施するための最良の形態】
【００２１】
以下、本発明の実施の形態について図面を参照しながら説明する。
【００２２】
（第１の実施の形態）
本実施の形態の指圧用部材を有する衣服は、図１と図２に示すように、ジャンパーＴに本発明を適用したものであり、ジャンパーＴに対して着脱自在なシート状の部材２に複数のポケットＰが形成され、このポケットＰに指圧用部材Ｑが入れられている。シート状の部材２は布製であり、縦横に所定幅の面状ファスナーＦ１が取り付けられ、ジャンパーＴの背面側の面状ファスナー（図示せず）との接離により、上記シート状の部材２が着脱自在になっている。
【００２３】
指圧用部材Ｑが入れられるポケットＰは、球形状の指圧用部材Ｑの転がりを保障する所定の大きさのポケットであり、シート状の部材２の表面側に複数形成されている。ポケットＰは、布製のメッシュ生地により形成され、この複数のポケットＰ内に各々一つずつ配されている。このようなメッシュ生地Ｍに指圧用部材Ｑを接触させると、その形状に沿うように突出させたり、球形状の部材の凸がメッシュ生地の隙間から外方に、つまり身体に向かって突出させたりするので、指圧効果を高めることが可能になる（図４参照）。シート状の部材２の裏面には、縦横に所定幅の面状ファスナーＦ１が縦横に取り付けられているが、この縦横の面状ファスナーＦ１の間に指圧用部材Ｑがシート状の部材に凹凸を生じさせ得るように配されている（図３（ａ）（ｂ））。このため、指圧用部材Ｑが縦横の面状ファスナーＦ１を境として他の位置に移動することができず、また、シート状の部材２に凹凸を生じさせるので指圧効果が高められる。
【００２４】
指圧用部材Ｑは、球形状の部材であり、ポケットＰに入れても動きやすい形状に形成されている。ここで、上記球形状の部材Ｑの代用としては、ゴルフボールを使用しても良い。また、ゴルフボールのように外周にテンプルＱｔというような小さな凹凸が形成されていると更に良い。つまり、前記球形状の部材Ｑは、図４に示すように、その外周に小さな凹凸が形成された所定の硬さを有するものであり、指圧用部材Ｑが入れられるポケットＰがメッシュ生地ｍにより形成されていることから、球形状の部材Ｑの凹凸がメッシュ生地ｍを外方に、つまり身体に向かってそのその形状に沿うように突出させたり、球形状の部材Ｑの凸がメッシュ生地ｍの隙間から外方に、つまり身体に向かって突出させたりするので、指圧効果を高め得るようになっている。ここで、本書類において、指圧用部材Ｑの球形状とは、正確な球形のみならず、表面に上記凹凸を多数有するような球形も含まれるものとする。なお、指圧用部材Ｑに更に磁性を帯びた材料で形成すれば、その磁気作用により血行等の促進効果を高めることができる。
【００２５】
上記シート状の部材２は、任意に組み合わせて使用可能である。本実施の形態のシート状の部材２の例としては、図５に示すように、中央に一つの指圧用部材Ｑが配され、その外周に４つの指圧用部材が配されたシート状の部材２Ａと、帯状にシート状の部材２であって複数の指圧用部材が直線状に配されたシート状の部材２Ｂ等を組み合わせて使用することも可能である。このように形成すると、ツボを中心として放射状に指圧用部材Ｑを配列させることができるようになる。また、これらの組み合わせによっては、指圧用部材が入れられるポケットＰを縦横に配置させたり、千鳥状に配置させたり等種種の態様に配置させることができる。
【００２６】
したがって、本実施の形態の指圧用部材を有する衣服１を着用して、椅子の背もたれという接触部材Ｔにこれを装着する身体を介して壁や背もたれ等の接触部材と接触することにより球形状の指圧用部材Ｑが揺れ動く、つまり椅子の背もたれ等に寄りかかるようにして多少身体を動かせば、ポケットＰ内で球形状の指圧用部材Ｑが揺れ動くために、身体の特定の一箇所のみならずその特定位置の周辺をも押圧される。また、鉄道や車両に搭乗して背もたれのある腰掛に腰掛けると、鉄道や車両の振動により、身体を特に動かさずとも、身体の特定の一箇所のみならずその特定位置の周辺をも押圧されることとなる。このように様々の場面でその用途に応じた使用が可能である。また、上記シート状の部材２は、これ単独としても使用可能であり（つまり衣服Ｔとともに使用せずに）、この場合、上記シート状の部材２は、その裏面の面状ファスナーＦ１を介して所定の箇所に容易に配置させたり、取り外したりすることができ、このシート状の部材２を壁や背もたれ等の接触部材３に取り付けるなどしすると、背もたれ等に寄りかかるようにして多少身体を動かしたり、身体を動かさずとも、鉄道や車両の椅子の背もたれ等に配置して身体と接触させると、鉄道や車両の揺れにより身体の特定の一箇所のみならずその特定位置の周辺をも押圧されることとなる。
【００２７】
（第２の実施の形態）
本実施の形態の指圧用部材を有する衣服は、図６と図７に示すように、ジャンパー（衣服）Ｔの背面側に接触部材３との接触効果を調整する補強用部材４が交換可能に取り付けられている。すなわち、上記ポケットＰを有する着脱自在なシート状の部材２は、衣服１の背面側に着脱自在に取り付けられるが、衣服１の背面側が二重構造でその上方側に開口５が設けられている。つまり、ジャンパー（衣服）Ｔの背面側に袋５が設けられ、この袋５の開口から補強用部材４が挿入するとともに、上記シート状部材２を挿入する構造である。本実施の形態の補強用部材４が金属製の網目ａの構造（メッシュ）を有するであり、上記網目ａの中において球形状の指圧用部材Ｑが揺れ動くことが可能になっている。これに代わるものとしては、パンチングメタルのような多数の穴を有する部材に、パンチング穴内で球形状の指圧用部材Ｑが揺れ動くようにすることも可能である。なお、本実施の形態のシート状の部材２は、第１の実施の形態と同じであるが、例えば、これを簡略化して、シート状の部材２の一方の面に上記球形状の指圧用部材Ｑの転がりを保障する所定の大きさのポケットＰに入れられているだけで、上記補強用部材４との組み合わせで使用しても良い。また、金属製のメッシュによりシート状の部材２やポケットＰを構成して、球形状の指圧用部材Ｑが金属製のメッシュを超えるような場合に押圧力が増加するように工夫することも可能である。
【００２８】
したがって、例えばソファーのような背もたれ部が柔らかいものである場合にも、背もたれ等の接触部材３との接触効果を調整する補強用部材４が交換可能に取り付けられていることから、所定の硬さを有する補強用部材４に交換することにより、所定の硬さを有し指圧効果を高めるように調整することが可能になる。本実施の形態では、補強用部材４が金属製のメッシュ構造であるから、身体や乗り物などのよれにより、指圧用部材Ｑがこれを乗り越えようとするために、その動きにより身体に対する指圧効果が、たとえ椅子や壁などの接触部材３が存在しない場合やソファーのような柔らかな背もたれであっても十分に働くこととなる。
【００２９】
以上、本実施の形態では、ジャンパーやチョッキ等の衣服で説明したが、上記シート状の部材２を着脱すれば、本発明は衣服であれば特に種類を問わず適用可能である。また、上記シート状の部材２を衣服の背面側にシート状の部材２が取り付けられるもので説明したが、本発明はこの位置に限らず衣服のどの位置に設けても本発明が適用可能である。なお、上記したようにシート状の部材２のみでも使用可能である。
【図面の簡単な説明】
【００３０】
【図１】本考案の第１の実施の形態の指圧用部材を有する衣服を示す斜視図である。
【図２】上記第１の実施の形態のシート状の部材を示す正面図である。
【図３】上記第１の実施の形態のシート状の部材を示す背面図と断面図である。
【図４】上記第１の実施の形態の指圧用部材とメッシュ生地とを示す図である。
【図５】本考案の第２の実施の形態の指圧用部材を有する衣服を示す正面図である。
【図６】上記第２の実施の形態の補強用部材を示す正面図である。
【図７】上記第２の実施の形態の補強用部材を示す正面図である。
【符号の説明】
【００３１】
１                  指圧用部材を有する衣服、
２                  シート状の部材、
３                  接触部材（椅子や壁等）、
４                  補強用部材、４、ａ  網目
Ｆ１，Ｆ２          面状ファスナー、
Ｐ                  指圧用部材が入れられるポケット、
Ｑ                  指圧用部材、Ｑｔ  指圧用部材の凹凸、
【図１】
0003115197.tif 000003
【図２】
0003115197.tif 000004
【図３】
0003115197.tif 000005
【図４】
0003115197.tif 000006
【図５】
0003115197.tif 000007
【図６】
0003115197.tif 000008
【図７】
0003115197.tif 000009